(57)【要約】【課題】複数の表示媒体を筐体内に収容可能であり、表示媒体を筐体から取り出さなくても閲覧が可能な画像書込装置を提供する。【解決手段】外部刺激として表示媒体２Ａに電圧を印加するとともに画像光を照射することにより書き込まれた画像を表示面に表示する表示媒体２Ａの出入口３ｇ、表示面を閲覧側に向けて複数の表示媒体２Ａを積層状態で収容可能な収容部３２、及び収容部３２の閲覧側に設けられ、収容部３２に収容された表示媒体２Ａの表示面に表示された画像を外部から閲覧可能な窓を有する筐体としての装置本体３と、装置本体３の内外へ出入口３ｇを通して表示媒体２Ａを搬送する搬送ローラ６Ａ〜６Ｆ及び給電ローラ７と、出入口３ｇ付近に設けられ、搬送ローラ６Ａ〜６Ｆ及び給電ローラ７によって表示媒体２Ａを装置本体３の内側に搬送する際に表示媒体２Ａに画像を書き込む書込ヘッド５とを備える。【選択図】図１
2009086540.tif 000002
【特許請求の範囲】
【請求項１】
外部刺激の印加により書き込まれた画像が表示面に表示される表示媒体が複数積層された状態で収容可能な収容部、前記収容部に連通し前記表示媒体が出入する出入口、及び前記収容部に収容された前記表示媒体の前記表示面に表示された画像を外部から閲覧可能な窓を有する筐体と、
前記筐体の内外へ前記出入口を通して前記表示媒体を搬送する搬送手段と、
前記筐体の前記出入口付近に設けられ、前記搬送手段によって前記表示媒体を前記筐体の内側又は外側に搬送する際に前記表示媒体に前記外部刺激を印加して前記表示媒体に画像を書き込む書込手段とを備えた画像書込装置。
【請求項２】
前記筐体は、前記収容部に収容された前記表示媒体を前記窓の方向に昇降させる昇降機構を備えた請求項１に記載の画像書込装置。
【請求項３】
前記搬送手段は、前記収容部に収容された前記複数の表示媒体のうち前記窓から最も遠い位置に配置された前記表示媒体を前記出入口へ送り出す送り出し機構を備えた請求項１に記載の画像書込装置。
【請求項４】
前記収容部の前記窓から最も遠い位置に配置された前記表示媒体の一部を前記筐体内に残して前記出入口から前記筐体の外側へ搬送する際に前記表示媒体に前記画像を書き込んだ後、前記収容部の前記窓に最も近い位置に戻し、前記収容部の前記窓から最も遠い位置に配置された前記表示媒体を前記出入口の外側へ搬送する際に前記表示媒体に画像を書き込み、前記表示媒体の一部を前記筐体内で保持して見開きの状態を作るように前記搬送手段及び前記書込手段を制御する制御モードを有する制御手段を、さらに備えた請求項１に記載の画像書込装置。
【請求項５】
前記収容部の前記窓から最も遠い位置に配置された前記表示媒体の一部を前記筐体内に残して前記出入口から前記筐体の外側へ搬送した後、再び前記筐体内に搬送して前記収容部の前記窓に最も近い位置に戻すように前記搬送手段及び前記書込手段を制御する制御モードを有する制御手段を、さらに備えた請求項１に記載の画像書込装置。
【請求項６】
前記収容部の前記窓から最も遠い位置に配置された前記表示媒体の一部を前記筐体内に残して前記出入口から前記筐体の外側へ搬送する際に前記表示媒体に画像を書き込んだ後、前記収容部の前記窓に最も近い位置に戻すように前記搬送手段及び前記書込手段を制御する動作を繰り返し行う制御モードを有する制御手段を、さらに備えた請求項１に記載の画像書込装置。
【請求項７】
前記収容部の前記窓から最も遠い位置に配置された前記表示媒体の一部を前記筐体内に残して前記出入口から前記筐体の外側へ搬送し、前記収容部の前記窓に最も近い位置に戻す際に前記表示媒体に画像を書き込むように前記搬送手段及び前記書込手段を制御する動作を繰り返し行う制御モードを有する制御手段を、さらに備えた請求項１に記載の画像書込装置。
【請求項８】
前記出入口に挿入された前記表示媒体を前記筐体内に搬送するとともに、前記表示媒体に画像を書き込み、前記収容部に収容するように前記搬送手段及び前記書込手段を制御する動作を繰り返し行う制御モードを有する制御手段を、さらに備えた請求項１に記載の画像書込装置。
【請求項９】
外部刺激の印加により書き込まれた画像が表示面に表示される表示媒体が複数積層された状態で収容可能な収容部、前記収容部に連通し前記表示媒体を搬送する方向の両端にそれぞれ設けられた一対の出入口、前記収容部に収容された前記表示媒体の前記表示面に表示された画像を外部から閲覧可能な窓を有する筐体と、
前記筐体の内外へ前記一対の出入口を通して前記表示媒体を搬送する搬送手段と、
前記筐体の前記一対の出入口のうち少なくとも一方の出入口付近に設けられ、前記搬送手段によって前記表示媒体を前記少なくとも一方の出入口を通して前記筐体の内側又は外側に搬送する際に前記表示媒体に前記外部刺激を印加して前記表示媒体に画像を書き込む書込手段とを備えた画像書込装置。
【発明の詳細な説明】
【技術分野】
【０００１】
本発明は、画像書込装置に関する。
【背景技術】
【０００２】
情報の書き込みとその消去が繰返し可能な可逆性のあるシート状記録体に記録するプリンターの機能と、シート状記録体に記録された情報を表示するディスプレイの機能とを合せ持つ表示・プリンター装置が提案されている（例えば、特許文献１参照。）
【０００３】
この表示・プリンター装置は、加熱で発色や消去ができる材料からなるシート状記録体を積層状態で収容可能に縦置きされた筐体と、筐体の下部に設けられサーマルヘッド等の書き込み部材と、筐体の背面に設けられた背面通路と、筐体の前方に配置され、シート状記録体を背面から支持する表示保持部とを備える。
【０００４】
この構成において、ローラの駆動により、筐体の上部の排出口からシート状記録体を取り出し、背面通路を介して筐体下部の書き込み部材に供給して書き込み部材に情報を記録した後、表示保持部の前面に搬送することにより、シート状記録体を閲覧することができ、シート状記録体への記録と閲覧を連続して行うことができる。
【特許文献１】特開平５−２２１０５４号公報
【発明の開示】
【発明が解決しようとする課題】
【０００５】
本発明の目的は、複数の表示媒体を筐体内に収容可能であり、表示媒体を筐体から取り出さなくても閲覧が可能な画像書込装置を提供することにある。
【課題を解決するための手段】
【０００６】
本発明の一態様は、上記目的を達成するため、以下の画像書込装置を提供する。
【０００７】
［１］外部刺激の印加により書き込まれた画像が表示面に表示される表示媒体が複数積層された状態で収容可能な収容部、前記収容部に連通し前記表示媒体が出入する出入口、及び前記収容部に収容された前記表示媒体の前記表示面に表示された画像を外部から閲覧可能な窓を有する筐体と、前記筐体の内外へ前記出入口を通して前記表示媒体を搬送する搬送手段と、前記筐体の前記出入口付近に設けられ、前記搬送手段によって前記表示媒体を前記筐体の内側又は外側に搬送する際に前記表示媒体に前記外部刺激を印加して前記表示媒体に画像を書き込む書込手段とを備えた画像書込装置。
【０００８】
［２］前記筐体は、前記収容部に収容された前記表示媒体を前記窓の方向に昇降させる昇降機構を備えた前記［１］に記載の画像書込装置。
【０００９】
［３］前記搬送手段は、前記収容部に収容された前記複数の表示媒体のうち前記窓から最も遠い位置に配置された前記表示媒体を前記出入口へ送り出す送り出し機構を備えた前記［１］に記載の画像書込装置。
【００１０】
［４］前記収容部の前記窓から最も遠い位置に配置された前記表示媒体の一部を前記筐体内に残して前記出入口から前記筐体の外側へ搬送する際に前記表示媒体に前記画像を書き込んだ後、前記収容部の前記窓に最も近い位置に戻し、前記収容部の前記窓から最も遠い位置に配置された前記表示媒体を前記出入口の外側へ搬送する際に前記表示媒体に画像を書き込み、前記表示媒体の一部を前記筐体内で保持して見開きの状態を作るように前記搬送手段及び前記書込手段を制御する制御モードを有する制御手段を、さらに備えた前記［１］に記載の画像書込装置。
【００１１】
［５］前記収容部の前記窓から最も遠い位置に配置された前記表示媒体の一部を前記筐体内に残して前記出入口から前記筐体の外側へ搬送した後、再び前記筐体内に搬送して前記収容部の前記窓に最も近い位置に戻すように前記搬送手段及び前記書込手段を制御する制御モードを有する制御手段を、さらに備えた前記［１］に記載の画像書込装置。
【００１２】
［６］前記収容部の前記窓から最も遠い位置に配置された前記表示媒体の一部を前記筐体内に残して前記出入口から前記筐体の外側へ搬送する際に前記表示媒体に画像を書き込んだ後、前記収容部の前記窓に最も近い位置に戻すように前記搬送手段及び前記書込手段を制御する動作を繰り返し行う制御モードを有する制御手段を、さらに備えた前記［１］に記載の画像書込装置。
【００１３】
［７］前記収容部の前記窓から最も遠い位置に配置された前記表示媒体の一部を前記筐体内に残して前記出入口から前記筐体の外側へ搬送し、前記収容部の前記窓に最も近い位置に戻す際に前記表示媒体に画像を書き込むように前記搬送手段及び前記書込手段を制御する動作を繰り返し行う制御モードを有する制御手段を、さらに備えた前記［１］に記載の画像書込装置。
【００１４】
［８］前記出入口に挿入された前記表示媒体を前記筐体内に搬送するとともに、前記表示媒体に画像を書き込み、前記収容部に収容するように前記搬送手段及び前記書込手段を制御する動作を繰り返し行う制御モードを有する制御手段を、さらに備えた前記［１］に記載の画像書込装置。
【００１５】
［９］外部刺激の印加により書き込まれた画像が表示面に表示される表示媒体が複数積層された状態で収容可能な収容部、前記収容部に連通し前記表示媒体を搬送する方向の両端にそれぞれ設けられた一対の出入口、前記収容部に収容された前記表示媒体の前記表示面に表示された画像を外部から閲覧可能な窓を有する筐体と、前記筐体の内外へ前記一対の出入口を通して前記表示媒体を搬送する搬送手段と、前記筐体の前記一対の出入口のうち少なくとも一方の出入口付近に設けられ、前記搬送手段によって前記表示媒体を前記少なくとも一方の出入口を通して前記筐体の内側又は外側に搬送する際に前記表示媒体に前記外部刺激を印加して前記表示媒体に画像を書き込む書込手段とを備えた画像書込装置。
【発明の効果】
【００１６】
請求項１に係る画像書込装置によれば、複数の表示媒体を筐体内に収容可能であり、表示媒体を筐体から取り出さなくても閲覧が可能となる。
【００１７】
請求項２に係る画像書込装置によれば、表示媒体に書き込まれた画像の視認性が向上する。
【００１８】
請求項３に係る画像書込装置によれば、積層された複数の表示媒体のうち、閲覧状態にある最上層の表示媒体は動かさずに、積層方向の反対側にある表示媒体を送り出すことができる。
【００１９】
請求項４に係る画像書込装置によれば、筐体内の最上層に配置された表示媒体と筐体外にはみ出した表示媒体とにより見開きで画像を閲覧することができる。
【００２０】
請求項５に係る画像書込装置によれば、筐体内に収容された順序で表示媒体の画像を順次閲覧することが可能となる。
【００２１】
請求項６に係る画像書込装置によれば、筐体内の最上層にある表示媒体の画像と、筐体外へ搬送された表示媒体に書き込まれた画像とを同時に閲覧することができる。
【００２２】
請求項７に係る画像書込装置によれば、画像の書き込みが完了した表示媒体を直接筐体内に収容することができる。
【００２３】
請求項８に係る画像書込装置によれば、外部から筐体内へ複数の表示媒体を順次供給することにより連続的な書き込みが可能となる。
【００２４】
請求項９に係る画像書込装置によれば、３ページの見開き状態で表示媒体を保持することが可能となる。
【発明を実施するための最良の形態】
【００２５】
［第１の実施の形態］
図１は、本発明の第１の実施の形態に係る画像書込装置の概略の構成を示す斜視図である。この画像書込装置１は、走査型光書込装置であり、表示媒体２Ａを出し入れする出入口３ｇ、及び複数の表示媒体２Ａが積層状態で挿入可能な挿入口３ｈを有する略矩形状の筐体としての装置本体３と、装置本体３内に出入口３ｇを通して表示媒体２Ａを搬送する際に、表示媒体２Ａに、主走査方向Ｘ及び副走査方向Ｙに走査して画像を書き込む後述する書込ヘッドとを備えて構成されている。
【００２６】
（装置本体）
装置本体３は、上面３ａ、下面３ｂ、側面３ｃ〜３ｆを有する略矩形状を有し、側面３ｃに上記出入口３ｇを有し、側面３ｅに上記挿入口３ｈを有する。装置本体３は、上部に窓としての透明板３０を有する。
【００２７】
透明板３０は、透光性を有するメタクリル樹脂等の樹脂からなるが、表示媒体２Ａの表示面としての表面２ａに表示された画像の視認性を損ねない程度に半透明でもよく、着色されていてもよい。また、透明板３０の代わりに窓として開口を設けてもよい。
【００２８】
（表示媒体の種類）
表示媒体２Ａは、略薄型矩形状を有し、無電源で表示画像を保持するメモリ性を有し、積層されたコレステリック液晶等からなる液晶層と光導体層からなる積層体と、積層体の両側に設けられた一対の電極とを備え、一対の電極間への電圧の印加と光の照射によって画像を書き込む光書込型表示媒体である。この表示媒体２Ａには、画像を表示する表面２ａに光を照射する表書込タイプと裏面２ｂに光を照射する裏書込タイプとがある。本実施の形態では、裏書込タイプを用いる。
【００２９】
（液晶層の特性）
図２は、コレステリック液晶の分子配向と光学特性の関係を示す図である。液晶層のコレステリック液晶が示すプレーナー相は、螺旋軸に平行に入射した光を右旋光と左旋光に分け、螺旋の捩じれ方向に一致する円偏光成分をブラッグ反射し、残りの光を透過させる選択反射現象を起こす。反射光の中心波長λおよび反射波長幅Δλは、螺旋ピッチをｐ、螺旋軸に直交する平面内の平均屈折率をｎ、複屈折率をΔｎとすると、それぞれ、λ＝ｎ・ｐ、Δλ＝Δｎ・ｐで表され、プレーナー相のコレステリック液晶層による反射光は、螺旋ピッチに依存した鮮やかな色を呈する。
【００３０】
正の誘電率異方性を有するコレステリック液晶は、図２（ａ）に示すように、螺旋軸がセル表面に垂直になり、入射光に対して上記の選択反射現象を起こすプレーナー相、同図（ｂ）に示すように、螺旋軸がほぼセル表面に平行になり、入射光を少し前方散乱させながら透過させるフォーカルコニック相、および同図（ｃ）に示すように、螺旋構造がほどけて液晶ダイレクタが電界方向を向き、入射光をほぼ完全に透過させるホメオトロピック相、の３つの状態を示す。
【００３１】
上記の３つの状態のうち、プレーナー相とフォーカルコニック相は、無電界で双安定に存在することができる。従って、コレステリック液晶の相状態は、液晶層に印加される電界強度に対して一義的に決まらず、プレーナー相が初期状態の場合には、電界強度の増加に伴って、プレーナー相、フォーカルコニック相、ホメオトロピック相の順に変化し、フォーカルコニック相が初期状態の場合には、電界強度の増加に伴って、フォーカルコニック相、ホメオトロピック相の順に変化する。
【００３２】
一方、液晶層に印加した電界強度を急激にゼロにした場合には、プレーナー相とフォーカルコニック相はそのままの状態を維持し、ホメオトロピック相はプレーナー相に変化する。
【００３３】
特に、コレステリック液晶に高分子を添加したＰＮＬＣ（Ｐｏｌｙｍｅｒ−Ｎｅｔｗｏｒｋｅｄ Ｌｉｑｕｉｄ Ｃｒｙｓｔａｌ）構造またはＰＣＬＣ（Ｐｏｌｙｍｅｒ−Ｄｉｓｐｅｒｓｅｄ Ｌｉｑｕｉｄ Ｃｒｙｓｔａｌ）構造の液晶層においては、コレステリック液晶と高分子の界面における干渉により（アンカリング効果）、プレーナー相とフォーカルコニック相の無電界における双安定性が向上し、長期間に渡ってパルス信号印加直後の状態を保持することができる。
【００３４】
図３は、一対の電極間に印加される電圧（外部印加電圧）に対する液晶層のスイッチング挙動を示す。なお、実線は露光時、破線は非露光時の挙動を示す。
【００３５】
露光時の液晶層のプレーナー相からフォーカルコニック相への変化の閾値電圧をＶｐｆｅ、非露光時の液晶層のプレーナー相からフォーカルコニック相への変化の閾値電圧をＶｐｆｕ、露光時の液晶層のフォーカルコニック相からプレーナー相への変化の閾値電圧をＶｆｐｅ、非露光時の液晶層のフォーカルコニック相からプレーナー相への変化の閾値電圧をＶｆｐｕとする。
【００３６】
リセット時に、液晶を露光した状態でＶｆｐｅ以上のリセット用の電圧ＨＶ１を印加することにより、液晶層のコレステリック液晶はプレーナー相となる。その後、電圧ＨＶ１の印加を停止しても、プレーナー相はメモリ性があるので、液晶層は高い反射率を保持する。
【００３７】
次に、書込時に、Ｖｆｐｅ以上、Ｖｆｐｕ以下の書込用の電圧ＨＶ２を印加するが、露光が始まるまで、プレーナー相は保持され、選択反射を示す。
【００３８】
その後、露光を開始すると、液晶層に分配される電圧が増加して、液晶層はプレーナー相からホメオトロピック相に変化する。その後、露光が終わるとホメオトロピック相はプレーナー相に変化し、液晶層は高い反射率を示す。
【００３９】
一方、露光を受けない部分については、Ｖｐｆｕ以上の電圧ＨＶ２を印加することにより形成されたフォーカルコニック相が最後まで保持され、低い反射率を示す。
【００４０】
（装置本体の内部構造）
図４は、画像書込装置の平面図、図５は、図４のＡ−Ａ線断面図、図６は、図５の画像書込装置の昇降機構の動作を示す図４のＡ−Ａ線断面図である。
【００４１】
装置本体３は、図４及び図５に示すように、出入口３ｇ側にリセット用光源４及び書込ヘッド５が配置されている。
【００４２】
リセット用光源４は、例えば、ＥＬ（electroluminescence）パネル、発光ダイオードが２次元に配列された発光ダイオードパネル等を用いることができる。
【００４３】
書込ヘッド５は、図４に示すように、主走査方向Ｘに１次元に配列された複数の発光素子５０ａを有する発光素子アレイ５０と、発光素子アレイ５０を覆う金属等からなるケース５１とを備える。
【００４４】
発光素子アレイ５０は、レーザ、発光ダイオード等の発光素子５０ａを用いることができる。本実施の形態は、例えば、１６００ｄｐｉの分解能を有する発光ダイオードアレイを用いる。
【００４５】
また、装置本体３は、図４及び図５に示すように、表示媒体２Ａの両側面２ｃ，２ｃ’近傍の表面２ａと裏面２ｂに接触して表示媒体２Ａを搬送する搬送ローラ６Ａ〜６Ｆが配置されている。出入口３ｇ側の搬送ローラ６Ｂの対向する側には、搬送ローラと給電を兼ねる給電ローラ７が配置されている。また、装置本体３の内部には、表示媒体２Ａを案内する案内面３１が設けられている。
【００４６】
案内面３１は、出入口３ｇ付近に透明板３０に平行に設けられた平坦面３１ａと、透明板３０との間に複数の表示媒体２Ａを積層状態で収容するための平坦面３１ｃと、両平坦面３１ａ，３１ｃを結ぶＳ字状を成したＳ字状面３１ｂとから構成されている。案内面３１は、収容部３２に配置された複数の表示媒体２Ａのうち最下層の表示媒体２Ａを出入口３ｇへ円滑に送り出せるように低摩擦係数を有するフッソ系樹脂等の樹脂、又は金属等に低摩擦係数を有するフッソ系樹脂等をコーティングして形成されている。
【００４７】
（昇降機構）
また、装置本体３の下部側には、表示媒体２Ａを昇降させる昇降機構９が配置されている。昇降機構９は、パンタグラフ方式のように一対のアーム９０Ａ，９０Ｂを連結点９１によりＸ字状に組み合わせ、一対のアーム９０Ａ，９０Ｂの上端部に上記搬送ローラ６Ｅ，６Ｆを取り付け、一方のアーム９０Ａの下端部を回転可能に装置本体３に固定する固定支点９２とし、他方のアーム９０Ｂの下端部を昇降用ソレノイド９４に連結して水平方向に可動する可動支点９３としたものである。一対のアーム９０Ａ，９０Ｂ及び昇降用ソレノイド９４は、搬送方向の左右両側に配置されている。
【００４８】
昇降用ソレノイド９４のロッドを図５において左方向に移動させると、図６に示すように、一対のアーム９０Ａ，９０Ｂが起き上がり、搬送ローラ６Ｅ，６Ｆの位置が高くなり表示媒体２Ａを搬送ローラ６Ｃに接するまで上昇させることができる。これにより、表示媒体２Ａが透明板３０に近づくため、表示媒体２Ａに表示されている画像が見やすくなる。昇降用ソレノイド９４のロッドを図６において右方向に移動させると、図５に示すように、搬送ローラ６Ｅ，６Ｆの位置が低くなり、一対のアーム９０Ａ，９０Ｂが元の位置に復帰する。
【００４９】
また、昇降機構９は、搬送ローラ６Ｅ，６Ｆを表示媒体２Ａが出入口３ｇ方向に移動する方向に回転させることにより、送り出し機構としても機能する。
【００５０】
搬送ローラ６Ａ〜６Ｆは、金属、ゴム、樹脂等の材料から形成され、図示しないモータによって回転される。
【００５１】
給電ローラ７は、金属、導電性ゴム等の導電性を有する材料から形成され、図４に示す受電端子２０６に接触して受電端子２０６に給電する。
【００５２】
（表示媒体）
図７は、表示媒体の裏面を示す平面図、図８は、表示媒体２Ａの層構成を示す図であって、図７のＢ−Ｂ線断面図である。
【００５３】
表示媒体２Ａは、図７、図８に示すように、裏面２ｂの左右の側面２ｃ，２ｃ’側に副走査方向Ｙに沿って銅、銅合金等の導電性材料からなる２つの受電端子２０６が形成されている。
【００５４】
表示媒体２Ａは、図８に示すように、対向して配置されたＰＥＴ（ポリエチレンテレフタレート）等から形成された透明の第１及び第２の基板２００Ａ，２００Ｂと、第１の基板２００Ａの内側にＩＴＯ（インジウム錫酸化物）等から形成された透明の全面電極による第１の電極２０１Ａと、第２の基板２００Ｂの内側にＩＴＯ等から形成された透明の全面電極による第２の電極２０１Ｂと、第１の電極２０１Ａの内側に配置され、印加電圧に応じて反射率が変化するコレステリック液晶からなる液晶層２０２と、液晶層２０２に対し光吸収層２０５を介して配置され、光の照射によって抵抗値が小さくなる光導電層２０４と、第２の基板２００Ｂの裏面２ｂに形成された上記一対の受電端子２０６とを備える。
【００５５】
一対の受電端子２０６のうち一方の受電端子２０６は、第１の電極２０１Ａに図示しない導電部材によって接続され、他方の受電端子２０６は、第２の電極２０１Ｂにスルーホール等の図示しない接続部によって電気的に接続されている。
【００５６】
光導電層２０４は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示媒体２Ａの高寿命化を実現することができる。
【００５７】
（画像書込装置の制御系）
図９は、画像書込装置の制御系を示すブロック図である。この画像書込装置１は、画像書込装置１全体を制御する制御部１０と、モータにより搬送ローラ６Ａ〜６Ｆ及び給電ローラ７を駆動するローラ駆動部１１と、昇降用ソレノイド９４を駆動するソレノイド駆動部１２と、リセット用光源４を駆動するリセット用光源駆動部１３と、書込ヘッド５の発光素子アレイ５０の各発光素子５０ａを駆動する発光素子アレイ駆動部１４と、表示媒体２Ａの第１及び第２の電極２０１Ａ，２０１Ｂ間に給電ローラ７及び受電端子２０６を介して電圧を印加する電圧印加部１５と、画像データを記憶する画像記憶部１６と、モード選択が可能な操作部１７と、外部と通信を行う通信部１８とを備える。
【００５８】
電圧印加部１５は、リセット時に、リセット用のパルス電圧（ＨＶ１）を発生するリセット用電圧発生部１５０と、書込時に、書込用のパルス電圧（ＨＶ２）を発生する書込用電圧発生部１５１とを備える。
【００５９】
操作部１７は、見開きモードを指定する見開きボタン１７０と、連続書込モードを指定する連続書込ボタン１７１と、ページ送りモードを指定するページ送りボタン１７２とを備える。
【００６０】
通信部１８は、ＵＳＢ（Universal Serial Bus）メモリ、光ディスク等の記録メディアや、携帯電話、ＰＤＡ等の携帯情報端末、ＰＣ（パーソナルコンピュータ）等の外部装置と通信するものであり、例えば、ＵＳＢコネクタや、ディスクドライバ、ネットワークインタフェース等を用いることができる。
【００６１】
制御部１０は、ＣＰＵ、ＣＰＵのプログラムを記憶するＲＯＭ、ＲＡＭ等を備え、操作部１７で選択された見開きモード、ページ送りモード、又は連続書込モードを実行するようにローラ駆動部１１、ソレノイド駆動部１２、リセット用光源駆動部１３、発光素子アレイ駆動部１４、及び電圧印加部１５等を制御する。なお、これらのモードを設定する場合には、本体の操作部に設けられたモード指定ボタンにより入力する以外に、外部より通信部１８を介して設定することもできる。あるいは予め書き込み対象となる画像ファイルに書き込み時の出力モードを指定する属性を付与しておき、制御部がこれに基づいて出力モードを自動的に設定してもよい。
【００６２】
（第１の実施の形態の動作）
図１０は、表示媒体に印加する電圧波形と光照射のタイミングを示す図、図１１は、画像書込装置の動作を示す断面図である。
【００６３】
（１）見開きモード
ユーザが図１１の（ａ）に示すように、所定の枚数（例えば５枚）の表示媒体２Ａを積層状態で装置本体３の挿入口３ｈから収容部３２に挿入する。ユーザが図９に示す操作部１７の見開きボタン１７０を押下すると、制御部１０は、ローラ駆動部１１により図示しないモータを駆動させ、搬送ローラ６Ａ〜６Ｆ及び給電ローラ７を表示媒体２Ａを出入口３ｇに搬送する方向に回転させる。表示媒体２Ａが図１１の（ｂ）に示すように、出入口３ｇに向かって搬送される。表示媒体２Ａが出入口３ｇから装置本体３の外側に搬送されている間に、画像が書き込まれる。表示媒体２Ａへの画像の書込みは、リセット動作と書込動作が交互に行われる。
【００６４】
（リセット動作）
リセット動作において、制御部１０は、電圧印加部１５のリセット用電圧発生部１５０からリセット用の電圧を発生させ、一方の給電ローラ７に電圧ＨＶ１のパルス電圧を印加し、他方の給電ローラ７に０Ｖを印加する。電圧ＨＶ１のパルス電圧は、給電端子２０６を介して第１及び第２の電極２０１Ａ，２０１Ｂ間に印加される。
【００６５】
また、制御部１０は、リセット用光源駆動部１３によりリセット用光源４からリセット光を発生させる。リセット光を照射する時間Ｔ１０は、図１０に示すように、電圧印加の時間Ｔ２０とほぼ同一である。
【００６６】
表示媒体２Ａの裏面２ｂにリセット光が照射されると、リセット光は、第２の基板２００Ｂ及び第２の電極２０１Ｂを通過し、光導電層２０４に到達する。光導電層２０４は、光が照射されると、抵抗値が小さくなり、それにより、光導電層２０４とのインピーダンス比で決まる液晶層２０２の分圧が増加し、液晶層２０２がプレーナー相となって反射率が大きくなる。このように表示媒体２Ａの液晶層２０２全体がプレーナー相となって初期化される。
【００６７】
（書込時）
制御部１０は、書込用電圧発生部１５１から書込用のパルス電圧を発生させ、一方の給電ローラ７に電圧ＨＶ２のパルス電圧を印加し、他方の給電ローラ７に０Ｖを印加する。電圧ＨＶ２のパルス電圧は、給電端子２０６を介して第１及び第２の電極２０１Ａ，２０１Ｂ間に印加される。
【００６８】
また、制御部１０は、画像記憶部１６から読み出した画像データに基づいて発光素子アレイ駆動部１４を制御し、発光素子アレイ駆動部１４が書込ヘッド５の発光素子アレイ５０の発光素子５０ａを主走査方向Ｘに沿って順次点灯制御する。発光素子アレイ５０は、画像光を表示媒体２Ａの裏面２ｂに投影する。図１０に示すように、画像光の照射する時間Ｔ１１は、電圧印加の時間Ｔ２１よりも短く設定している。画像光を照射する時間Ｔ１１の間に発光素子５０ａが点灯制御され、主走査方向Ｘに順次走査される。なお、発光素子５０ａに対する点灯制御は、全ての発光素子５０ａに対して同時に行ってもよく、所定の単位毎に順次行ってもよい。
【００６９】
表示媒体２Ａの裏面２ｂに画像光が投影されると、画像光は、第２の基板２００Ｂ及び第２の電極２０１Ｂを通過し、光導電層２０４に到達する。
【００７０】
光が照射された領域は、光導電層２０４の抵抗値が小さくなり、それにより、光導電層２０４とのインピーダンス比で決まる液晶層２０２の分圧がＶｆｐｅ以上に増加し、液晶層２０２がプレーナー相となって反射率が大きくなる。光が照射されなかった領域の液晶層は、分圧がＶｐｆｕ以上、Ｖｆｐｕ以下になり、プレーナー相から光を透過させるフォーカルコニック相に変化する。従って、書込処理が終了した後、液晶層２０２の光が照射された領域は、プレーナー相が維持され、反射率が大きいために照明光が反射して白く見える。光が照射されなかった領域は、液晶層２０２がプレーナー相からフォーカルコニック相に変化するため、照明光が液晶層２０２を通過して光吸収層２０５で吸収されて黒く見える。この白黒のパターンが表示媒体２Ａの表面２ａ側から画像として見える。この画像は、第１及び第２の電極２０１Ａ，２０１Ｂ間への電圧印加を停止した後も長時間保持される。
【００７１】
以上のようにして装置本体３の外側に搬送されながら画像が書き込まれた表示媒体２Ａは、図１１（ｃ）に示す状態になった位置で停止する。この状態では、表示媒体２Ａがある程度剛性を有しているため、表示媒体２Ａの端部が搬送ローラ６Ａ，６Ｂ，６Ｄ及び給電ローラ７によって保持され、表示媒体２Ａはほぼ平坦な状態が保たれ、表示媒体２Ａ１に書き込まれた画像、例えば１ページ目の画像を直接閲覧することができる。
【００７２】
次に、制御部１０は、ローラ駆動部１１を制御してモータを逆転駆動し、搬送ローラ６Ａ〜６Ｆ及び給電ローラ７を逆転させ、図１１（ｄ）、（ｅ）に示すように、表示媒体２Ａ１を装置本体３の内側に引き込み、最上層に戻す。
【００７３】
次に、制御部１０は、前述したのと同様に、図１１（ｆ９、（ｇ）に示すように、最下層の表示媒体２Ａ２を装置本体３の外側に搬送するとともに、表示媒体２Ａ２に例えば２ページ目の画像を書き込む。
【００７４】
次に、制御部１０は、ソレノイド駆動部１２の駆動により昇降用ソレノイドを駆動させ、表示媒体２Ａ１が搬送ローラ６Ｃに接触するまで搬送ローラ６Ｅ，６Ｆを上昇させる。続いて、ローラ駆動部１１により搬送ローラ６Ａ〜６Ｆ及び給電ローラ７を逆転させて２ページ目の画像が書き込まれた表示媒体２Ａ２を少し収容部３２側に戻す。このようにして１ページ目の画像を表示する表示媒体２Ａ１と２ページ目の画像を表示する表示媒体２Ａ２とが見開き状態となる。
【００７５】
（２）連続書込モード
図９に示す連続書込ボタン１７１が押下された場合は、図１１（ｂ）〜（ｅ）に示す動作を繰り返すことにより、収容部３２に収容された複数の表示媒体２Ａに順次画像が書き込まれる。このとき、書き込み後の表示媒体２Ａを収容部３２の最上層（窓側）に順次搬送すると、書き込まれたページの順序が維持された状態で収容部３２に収容される。なお、書き込みされた表示媒体２Ａは一部を残して筐体外に排出された状態となるので、このまま表示媒体２Ａを引き出せるようにしてもよい。例えば、書き込み完了後に搬送ローラ６Ａで表示媒体２Ａを片持ち状態のまま短時間停止させ、その間の引き抜き動作によって、ローラが媒体排出方向に回転したことを検出した場合には、ローラを駆動して排出させることが可能である。排出の完了が確認された後、必要なら筐体内に保持されている表示媒体２Ａの枚数のカウンタ値を減らし、続いて次の表示媒体２Ａを収容部３２から搬送して画像を書き込むようにする。
【００７６】
（３）ページ送りモード
図９に示すページ送りボタン１７２が押下された場合は、画像の書き込み動作を行わずに、図１１（ｂ）〜（ｅ）に示す動作を繰り返すことにより、画像が書き込まれた表示媒体２Ａを最下層から最上層へと順次送ることができ、透明板３０を介して表示媒体２Ａの表示画像を閲覧することができる。なお、閲覧する度に昇降機構９によって表示媒体２Ａを透明板３０に近づけてもよい。
【００７７】
［第２の実施の形態］
図１２は、本発明の第２の実施の形態に係る画像書込装置の概略の構成を示す断面図である。第１の実施の形態は、表示媒体２Ａを装置本体３外に搬送している間に画像を書き込むようにしたが、書き込まれる画像の機密性等のために書き込みが完了した表示媒体２Ａを、第１の実施の形態のように書き込み装置から突出した状態で、強制的に抜き取られやすい状態に置きたくない場合もある。そこで、本実施の形態は、表示媒体２Ａを装置本体３内に搬送している間に画像を書き込むようにしたものである。
【００７８】
本実施の形態の画像書込装置１は、第１の実施の形態において、リセット用光源４を書込ヘッド５よりも出入口３ｇ側に配置し、給電ローラ７を搬送ローラ６Ｄと入れ替えて出入口３ｇ側に配置している。
【００７９】
図１３は、本発明の第２の実施の形態に係る画像書込装置の動作を示す断面図である。例えば、図９に示す連続書込ボタン１７１が押下された場合は、図１３（ａ）〜（ｅ）に示すように連続書込を行う。
【００８０】
ユーザが、図１３（ａ）に示すように、表示媒体２Ａを出入口３ｇに挿入すると、図示しない媒体センサが表示媒体２Ａが出入口３ｇに挿入されたことを検出し、制御部１０は、媒体センサの検出に基づいて表示媒体２Ａを装置本体３内に引き込むようにローラ駆動部１１を制御する。表示媒体２Ａは、図１３（ｂ）、（ｃ）に示すように、ローラ駆動部１１の駆動により搬送ローラ６Ａ〜６Ｆ及び給電ローラ７が回転し、収容部３２に搬送される。
【００８１】
表示媒体２Ａが装置本体３内に搬送されている間に、制御部１０は、電圧印加部１５のリセット用電圧発生部１５０からリセット用の電圧を発生させ、一方の給電ローラ７に電圧ＨＶ１のパルス電圧を印加し、他方の給電ローラ７に０Ｖを印加する。制御部１０は、リセット用光源駆動部１３によりリセット用光源４からリセット光を発生させる。
【００８２】
続いて制御部１０は、制御部１０は、書込用電圧発生部１５１から書込用のパルス電圧を発生させ、一方の給電ローラ７に電圧ＨＶ２のパルス電圧を印加し、他方の給電ローラ７に０Ｖを印加する。また、制御部１０は、画像記憶部１６から読み出した画像データに基づいて発光素子アレイ駆動部１４を制御し、書込ヘッド５の発光素子アレイ５０の発光素子５０ａを主走査方向Ｘに沿って点灯制御を行う。発光素子アレイ５０は、画像光を表示媒体２Ａの裏面２ｂに投影して表示媒体２Ａに画像を書き込む。
【００８３】
以上のようにして画像が書き込まれた表示媒体２Ａは、収容部３２の平坦面３１ｃに到達すると、図１３（ｄ）に示すように、昇降機構９が動作して表示媒体２Ａを搬送ローラ６Ｃに接触するまで上昇させる。ここで、ユーザは、透明板３０を介して表示媒体２Ａの表示画像を閲覧することができる。
【００８４】
表示媒体２Ａを順次出入口３ｇに挿入することにより、図１３（ｅ）に示すように、画像が書き込まれた表示媒体２Ａが収容部３２に集積される。
【００８５】
なお、第２の実施の形態においても、第１の実施の形態と同様に、連続書込モード、ページ送りモードを実行することはできる。また、見開きモードも実行可能である。例えば、画像を書き込んだ複数の表示媒２Ａ体を収容部３２に収容し、その後、１ページ目又は２ページ目の表示媒体２Ａを一部を装置本体３内に残して装置本体３の外に搬送し、収容部３２の最上層の２ページ目又は１ページ目の表示媒体２Ａを昇降機構９によって上昇させることによって見開き状態となる。
【００８６】
［第３の実施の形態］
図１４は、本発明の第３の実施の形態に係る画像書込装置の概略の構成を示す断面図である。第１及び第２の実施の形態は、裏書込タイプの表示媒体２Ａを用いたが、本実施の形態は、表書込タイプの表示媒体２Ｂを用いたものである。
【００８７】
本実施の形態の装置本体３は、出入口３ｇ近傍の上部にリセット用光源４及び書込ヘッド５を配置し、これらを遮光性を有する金属等から形成されたサブケース３３で覆ったものであり、他は第１の実施の形態と同様に構成されている。
【００８８】
図１５は、表示媒体２Ｂの裏面２ｂを示す平面図、図１６は、本実施の形態の表示媒体２Ｂの層構成を示す図である。
【００８９】
表示媒体２Ｂは、図１５、図１６に示すように、裏面２ｂの左右の側面２ｃ，２ｃ’側に副走査方向Ｙに沿って銅、銅合金等の導電性材料からなる複数の分割受電端子２０７が２列に形成されている。
【００９０】
（表示媒体の層構成）
表示媒体２Ｂは、図１６に示すように、対向して配置されたＰＥＴ等から形成された透明の第１及び第２の基板２００Ａ，２００Ｂと、第１の基板２００Ａの内側にＩＴＯ等から形成された透明の全面電極による第１の電極２０１Ａと、第２の基板２００Ｂの内側にＩＴＯ等から形成された透明の複数の分割電極２０１Ｃと、第１の電極２０１Ａの内側に配置され、印加電圧に応じて反射率が変化するコレステリック液晶からなる液晶層２０２と、液晶層２０２に対し離隔層２０３を介して配置され、光の照射によって抵抗値が小さくなる光導電層２０４と、光導電層２０４と第２の基板２００Ｂとの間に配置された光吸収層２０５と、第２の基板２００Ｂの裏面２ｂに形成された上記一対の分割受電端子２０７とを備える。
【００９１】
一対の分割受電端子２０７のうち一方の分割受電端子２０７は、第１の電極２０１Ａに図示しない導電部材によって接続され、他方の分割受電端子２０７は、分割電極２０１Ｃにスルーホール等の図示しない接続部によって電気的に接続されている。
【００９２】
複数の分割電極２０１Ｃは、副走査方向Ｙに配列されている。１つの分割電極２０１Ｃの幅は、外光によって露光されるのを防止するため、書込ヘッド５のケース５１の幅よりも短い方が好ましく、例えば、ケース５１の幅の１／２〜１／３の幅を有する。
【００９３】
（画像書込装置の動作）
表示媒体２Ｂの表面２ａにリセット光が照射されると、リセット光は、第１の基板２００Ａ、第１の電極２０１Ａ、液晶層２０２、及び離隔層２０３を通過し、光導電層２０４に到達する。光導電層２０４は、光が照射されると、抵抗値が小さくなり、それにより、光導電層２０４とのインピーダンス比で決まる液晶層２０２の分圧が増加し、液晶層２０２がプレーナー相となって反射率が大きくなる。このようにして、表示媒体２Ｂの液晶層２０２全体がプレーナー相となって初期化される。
【００９４】
表示媒体２Ｂの表面２ａに画像光が投影されると、画像光は、第１の基板２００Ａ、第１の電極２０１Ａ、液晶層２０２及び離隔層２０３を通過し、光導電層２０４に到達する。
【００９５】
液晶層２０２の光が照射された領域は、光を反射させるプレーナー相が維持され、光が照射されなかった領域は、プレーナー相から光を透過させるフォーカルコニック相に変化する。従って、書込処理が終了した後、液晶層２０２の光が照射された領域は、反射率が大きいために照明光が反射して白く見える。光が照射されなかった領域は、照明光が液晶層２０２を通過して光吸収層２０５で吸収されて黒く見える。この白黒のパターンが表示媒体２Ｂの表面２ａ側から画像として見える。この画像は、第１の電極２０１Ａ及び分割電極２０１Ｃ間への電圧印加を停止した後も長時間保持される。
【００９６】
［第４の実施の形態］
図１７は、本発明の第４の実施の形態に係る画像書込装置の概略の構成を示す断面図である。第１乃至第３の実施の形態は、装置本体３の一方に表示媒体２Ａの出入口３ｇを設けたが、本実施の形態は、両方に出入口３ｇ，３ｉを設けたものである。複数の表示媒体２Ａを収容部３２内に挿入する挿入口３ｈは、側面３ｆに設けている。
【００９７】
本実施の形態では、第１の実施の形態で説明した見開きモード、ページ送りモード、連続書込モードの他に、３ページ見開きモードが行えるものである。次に、この３ページ見開きモードについて説明する。
【００９８】
第１の実施の形態と同様に、３ページ目の画像を表示媒体２Ａに書き込んだ後、その表示媒体２Ａを図１７において左側に搬送して表示媒体２Ａの一部を装置本体３内に残して保持し、中央の表示媒体２Ａと右側の表示媒体２Ａは、第１の実施の形態の見開きモードで説明したのと同様に１ページ目と２ページ目の画像を書き込んで、昇降機構９によって２ページ目の画像を書き込んだ表示媒体２Ａを透明板３０側に近づけることによって、３ページ見開き状態を作ることができる。
【００９９】
［他の実施の形態］
なお、本発明は、上記各実施の形態に限定されず、本発明の趣旨を逸脱しない範囲内で種々な変形が可能であり、本発明の趣旨を逸脱しない範囲内で各実施の形態間の構成要素を任意に組み合わせることができる。
【０１００】
また、上記各実施の形態では、表示媒体として光書込型表示媒体を用いたが、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の表示媒体を用いてもよい。特に電気的な刺激により画像を表示させる方式の媒体においては、電気的な刺激を除去した後も画像が記憶され表示が消去されない、メモリ型の表示媒体（いわゆる電子ペーパー）を用いることが望ましい。これにより収容部に収容された複数枚の表示媒体に順次画像を書き込んでも、無電源状態でも画像はそのまま保持され、また書換えも可能となるため、少ない媒体数であっても複数ページを表示できる。
【図面の簡単な説明】
【０１０１】
【図１】図１は、本発明の第１の実施の形態に係る画像書込装置の概略の構成を示す斜視図である。
【図２】図２は、コレステリック液晶の分子配向と光学特性の関係を示す図である。
【図３】図３は、一対の電極間に印加された電圧に対する液晶層のスイッチング挙動を示す図である。
【図４】図４は、図１の画像書込装置の平面図である。
【図５】図５は、図４のＡ−Ａ線断面図である。
【図６】図６は、図５に示す昇降機構の動作状態を示す断面図である。
【図７】図７は、表示媒体の裏面を示す平面図である。
【図８】図８は、表示媒体の層構成を示す要部断面図である。
【図９】図９は、本発明の第１の実施の形態に係る画像書込装置の制御系を示すブロック図である。
【図１０】図１０は、表示媒体に印加する電圧波形と光照射のタイミングを示す図である。
【図１１Ａ】図１１Ａ（ａ）〜（ｅ）は、画像書込装置の表示媒体の搬送動作を示す断面図である。
【図１１Ｂ】図１１Ｂ（ｆ）〜（ｈ）は、画像書込装置の表示媒体の搬送動作を示す断面図である。
【図１２】図１２は、本発明の第２の実施の形態に係る画像書込装置の概略の構成を示す断面図である。
【図１３】図１３は、本発明の第２の実施の形態に係る画像書込装置の動作を示す断面図である。
【図１４】図１４は、本発明の第３の実施の形態に係る画像書込装置の概略の構成を示す断面図である。
【図１５】図１５は、本発明の第３の実施の形態に係る表示媒体の裏面を示す平面図である。
【図１６】図１６は、本発明の第３の実施の形態に係る表示媒体の層構成を示す図である。
【図１７】図１７は、本発明の第４の実施の形態に係る画像書込装置の概略の構成を示す断面図である。
【符号の説明】
【０１０２】
１  画像書込装置
２Ａ，２Ａ１，２Ａ２，２Ｂ  表示媒体
２ａ  表面
２ｂ  裏面
２ｃ，２ｃ’  側面
３  装置本体
３ａ  上面
３ｂ  下面
３ｃ〜３ｆ  側面
３ｇ  出入口
３ｈ  挿入口
４  リセット用光源
５  書込ヘッド
６Ａ  ６Ｆ  搬送ローラ
７  給電ローラ
９  昇降機構
１０  制御部
１１  ローラ駆動部
１２  ソレノイド駆動部
１３  リセット用光源駆動部
１４  発光素子アレイ駆動部
１５  電圧印加部
１６  画像記憶部
１８  通信部
３０  透明板
３１  案内面
３１ａ，３１ｃ  平坦面
３１ｂ  Ｓ字状面
３２  収容部
３３  サブケース
５０  発光素子アレイ
５０ａ  発光素子
５１  ケース
９０Ａ，９０Ｂ  アーム
９１  連結点
９２  固定支点
９３  可動支点
９４  昇降用ソレノイド
１５０  リセット用電圧発生部
１５１  書込用電圧発生部
１７０  見開きボタン
１７  操作部
１７１  連続書込ボタン
１７２  ページ送りボタン
２００Ａ，２００Ｂ  基板
２０１Ａ  第１の電極
２０１Ｂ  第２の電極
２０１Ｃ  分割電極
２０２  液晶層
２０３  離隔層
２０４  光導電層
２０５  光吸収層
２０６  受電端子
２０７  分割受電端子
【図１】
2009086540.tif 000003
【図２】
2009086540.tif 000004
【図３】
2009086540.tif 000005
【図４】
2009086540.tif 000006
【図５】
2009086540.tif 000007
【図６】
2009086540.tif 000008
【図７】
2009086540.tif 000009
【図８】
2009086540.tif 000010
【図９】
2009086540.tif 000011
【図１０】
2009086540.tif 000012
【図１１Ａ】
2009086540.tif 000013
【図１１Ｂ】
2009086540.tif 000014
【図１２】
2009086540.tif 000015
【図１３】
2009086540.tif 000016
【図１４】
2009086540.tif 000017
【図１５】
2009086540.tif 000018
【図１６】
2009086540.tif 000019
【図１７】
2009086540.tif 000020